(57)【要約】【課題】意匠性を確保しつつ、放熱性を向上できるようにする。【解決手段】灯具本体２０は、設置部１１によって天井面１に設置されている。灯具本体２０の放熱フィン２６は、円筒状の外装部２５によって覆われている。外装部２５の設置部１１側の面は、放熱フィン２６の一部が露出するように切り欠かれている。外装部２５の設置部１１とは反対側の面は、放熱フィン２６の全体を覆っている。【選択図】図１
2020136206.tif 000002
【特許請求の範囲】
【請求項１】
所定の設置面に設置される設置部と、該設置部に取り付けられた灯具本体とを備えた照明器具であって、
前記灯具本体は、光源と、該光源で発生する熱を放熱する放熱部と、該放熱部の周囲を覆う筒状の外装部とを有し、
前記外装部の前記設置部側の面は、前記放熱部の一部が露出するように切り欠かれており、
前記外装部の前記設置部とは反対側の面は、前記放熱部の全体を覆っている照明器具。
【請求項２】
請求項１において、
前記放熱部は、前記外装部の軸方向に沿って延び且つ前記設置部と交差する方向に立設する複数の放熱フィンを有する照明器具。
【請求項３】
請求項１又は２において、
前記設置部と前記灯具本体とを連結する連結部を備え、
前記連結部は、前記灯具本体を回転可能に支持している照明器具。
【請求項４】
請求項１乃至３のうち何れか１つにおいて、
前記外装部の前記設置部側の面は、周方向の略半分の範囲にわたって切り欠かれている照明器具。
【発明の詳細な説明】
【技術分野】
【０００１】
本発明は、照明器具に関するものである。
【背景技術】
【０００２】
特許文献１には、光源部と、光源部が取り付けられた本体と、内部に光源部及び本体が配置された円筒状のセードとを備えた照明器具が開示されている。
【０００３】
ここで、本体は、光源部で発生した熱を放熱するヒートシンクとして機能するものであり、本体の放熱部から放熱された熱は、セードの後方開口部から外部に排出される。
【先行技術文献】
【特許文献】
【０００４】
【特許文献１】特開２０１７−３３８０４号公報
【発明の概要】
【発明が解決しようとする課題】
【０００５】
ところで、特許文献１の発明では、セードの後方開口部のみから熱が排出される構造であるため、放熱面積が小さくなっている。そこで、放熱面積を増やすために、例えば、放熱部の周囲を覆うセードを無くして放熱部全体を露出させることが考えられる。
【０００６】
しかしながら、放熱部全体を露出させた状態にすると、見栄えが悪くなり、意匠性が損なわれてしまうため、好ましくない。
【０００７】
本発明は、かかる点に鑑みてなされたものであり、その目的は、意匠性を確保しつつ、放熱性を向上できるようにすることにある。
【課題を解決するための手段】
【０００８】
本発明は、所定の設置面に設置される設置部と、該設置部に取り付けられた灯具本体とを備えた照明器具を対象とし、次のような解決手段を講じた。
【０００９】
すなわち、第１の発明は、前記灯具本体は、光源と、該光源で発生する熱を放熱する放熱部と、該放熱部の周囲を覆う筒状の外装部とを有し、前記外装部の前記設置部側の面は、前記放熱部の一部が露出するように切り欠かれており、前記外装部の前記設置部とは反対側の面は、前記放熱部の全体を覆っている。
【００１０】
第１の発明では、灯具本体の放熱部は、筒状の外装部によって覆われている。そして、外装部の設置部側の面、つまり、人が照明器具を見たときに目に付きにくい面を、放熱部の一部が露出するように切り欠くようにしている。
【００１１】
これにより、放熱部の熱が、筒状の外装部の開口に加えて、外装部の切欠き部分からも排出されることとなり、放熱部の放熱面積を増やして放熱性を向上させることができる。
【００１２】
また、外装部の設置部とは反対側の面、つまり、人が照明器具を見たときに目に付きやすい面では、放熱部の全体を覆うようにしている。これにより、放熱部が外装部から露出して見栄えが悪くなることがなく、意匠性を確保することができる。
【００１３】
なお、照明器具の設置面が天井面である場合には、外装部の上面を切り欠いて放熱部の一部を露出させることとなる。そのため、放熱部の熱が、外装部の上面の切欠き部分から上方に向かって排出され易くなる。
【００１４】
第２の発明は、第１の発明において、前記放熱部は、前記外装部の軸方向に沿って延び且つ前記設置部と交差する方向に立設する複数の放熱フィンを有する。
【００１５】
第２の発明では、放熱部は、複数の放熱フィンを有する。複数の放熱フィンは、外装部の軸方向に沿って延び、設置部と交差する方向に立設している。これにより、放熱フィンのフィン面が外装部の切欠き部分から露出するので、放熱フィンの放熱面積を増やして放熱性を向上させることができる。
【００１６】
第３の発明は、第１又は第２の発明において、前記設置部と前記灯具本体とを連結する連結部を備え、前記連結部は、前記灯具本体を回転可能に支持している。
【００１７】
第３の発明では、灯具本体は、連結部によって回転可能に支持される。これにより、灯具本体を回転させて光の照射位置を自由に調整することができる。ここで、外装部の切欠き部分は、灯具本体を回転させた場合であっても、人からは見えない位置に形成しておくことで、意匠性を確保することができる。
【００１８】
第４の発明は、第１乃至第３の発明のうち何れか１つにおいて、前記外装部の前記設置部側の面は、周方向の略半分の範囲にわたって切り欠かれている。
【００１９】
第４の発明では、外装部の設置部側の面を、周方向の略半分の範囲にわたって切り欠くようにしている。例えば、照明器具の設置面が天井面である場合、外装部の上半分を切り欠くようにしている。
【００２０】
このように、人が照明器具を見たときでも、放熱部を視認できないギリギリの位置まで外装部を切り欠いて放熱面積を増やすことで、意匠性を確保しつつ、放熱性を向上させることができる。
【発明の効果】
【００２１】
本発明によれば、意匠性を確保しつつ、放熱性を向上することができる。
【図面の簡単な説明】
【００２２】
【図１】本実施形態に係る照明器具の構成を示す斜視図である。
【図２】照明器具を天井面に設置した状態を示す側面図である。
【図３】図２のＡ方向矢視図である。
【図４】照明器具の照射方向を変更した状態を示す図２相当図である。
【図５】図４のＢ方向矢視図である。
【図６】外装部の切欠範囲を説明するための背面図である。
【発明を実施するための形態】
【００２３】
以下、本発明の実施形態を図面に基づいて説明する。なお、以下の好ましい実施形態の説明は、本質的に例示に過ぎず、本発明、その適用物或いはその用途を制限することを意図するものではない。
【００２４】
図１及び図２に示すように、照明器具１０は、例えば、天井面１（設置面）に設置されるスポットライトである。照明器具１０は、設置部１１と、照明光を出射する灯具本体２０と、設置部１１と灯具本体２０とを連結する連結アーム１２（連結部）とを備えている。
【００２５】
設置部１１は、内部に電源回路が収納された電源ボックスで構成されている。設置部１１は、天井面１に設けられた取付レール２に取り付けられている。取付レール２には、図示しない接点部が設けられている。設置部１１は、取付レール２に取り付けたときに接点部と電気的に接続される。設置部１１は、灯具本体２０に電力を供給する。
【００２６】
連結アーム１２は、灯具本体２０を回転可能に支持している。具体的に、連結アーム１２と灯具本体２０とは、ノブボルト１３によって締結されている。そして、ノブボルト１３を緩めることで、ノブボルト１３の軸部を中心に灯具本体２０を回転させ、灯具本体２０の姿勢を変更することができる。また、ノブボルト１３を締め付けることで、灯具本体２０を任意の姿勢のまま維持することができる。これにより、所定の方向に向けて照明光を出射することができる。
【００２７】
灯具本体２０は、レンズホルダ２１と、外装部２５とを有する。レンズホルダ２１及び外装部２５は、円筒状に形成され、軸方向に一列に並ぶように配置されている。
【００２８】
レンズホルダ２１の内部には、光源２２と、レンズ２３とが配置されている。レンズホルダ２１は、周方向に回転可能となっている。レンズホルダ２１を周方向に回転させると、図示しないガイド機構に沿って、レンズ２３が前方又は後方に移動する。これにより、照明光の焦点距離を変更できるようになっている。
【００２９】
光源２２は、ＬＥＤ（Light Emitting Diode）を有する発光モジュールで構成されている。光源２２は、例えば、白色光を出射するように構成されている。光源２２は、例えば、ＣＯＢ（Chip On Board）型のＬＥＤモジュールである。光源２２は、設置部１１の電源回路からの電力を受けて照明光を出射する。
【００３０】
光源２２は、放熱フィン２６（放熱部）の基台部２７に取り付けられている。放熱フィン２６は、光源２２で発生した熱を放熱するものである。放熱フィン２６は、上下方向に立設した姿勢で、厚み方向に間隔をあけて複数設けられている。
【００３１】
放熱フィン２６の周囲は、外装部２５で覆われている。外装部２５と放熱フィン２６とは、例えば、アルミダイカストによって一体形成されている。
【００３２】
外装部２５は、円筒状に形成されている。外装部２５の設置部１１とは反対側の面（図２で下面）によって、放熱フィン２６の全体が覆われている。ここで、外装部２５の下面は、人が照明器具１０を見たときに目に付きやすい面である。そのため、外装部２５の下面から放熱フィン２６が露出しないように、外装部２５によって放熱フィン２６の全体を覆うようにしている（図３参照）。これにより、放熱フィン２６が外装部２５から露出して見栄えが悪くなることがなく、意匠性を確保することができる。
【００３３】
一方、外装部２５における設置部１１側の面（図２で上面）は、放熱フィン２６の一部が露出するように切り欠かれている。ここで、外装部２５の上面は、人が照明器具１０を見たときに目に付きにくい面である。そのため、外装部２５の上面から放熱フィン２６が露出していても見栄えが悪くなることはない。
【００３４】
ここで、放熱フィン２６は、外装部２５の軸方向に沿って延び且つ設置部１１と交差する方向に立設している。そのため、放熱フィン２６のフィン面を外装部２５の切欠き部分２５ａから露出させることで、放熱フィン２６の放熱面積を増やすことができる。
【００３５】
このように、外装部２５の切欠き部分２５ａから放熱フィン２６を露出させると、放熱フィン２６の熱が、外装部２５の後方開口（図２で右方）から後方に排出されるとともに、外装部２５の切欠き部分２５ａからも上方に排出される。これにより、放熱フィン２６の放熱面積を増やして放熱性を向上させることができる。
【００３６】
図４にも示すように、灯具本体２０は、連結アーム１２によって回転可能に支持されている。これにより、灯具本体２０を回転させて光の照射位置を自由に調整することができる。ここで、外装部２５の切欠き部分２５ａは、灯具本体２０を回転させた場合であっても、人からは見えない位置に形成しておくことで、意匠性を確保することができる（図５参照）。
【００３７】
また、外装部２５は、人が照明器具１０を見たときでも、放熱フィン２６を視認できないギリギリの位置まで切り欠くことで、放熱フィン２６の放熱面積を増やすのが好ましい。
【００３８】
本実施形態では、図６に示すように、外装部２５の設置部１１側の面を、周方向の略半分の範囲にわたって切り欠くようにしている。本実施形態では、照明器具１０の設置面が天井面１であるので、外装部２５の上半分を切り欠くようにしている。これにより、意匠性を確保しつつ、放熱性を向上させることができる。
【００３９】
《その他の実施形態》
前記実施形態については、以下のような構成としてもよい。
【００４０】
本実施形態では、照明器具１０の設置面が天井面１である場合について説明したが、例えば、照明器具１０の設置面が壁面であってもよい。この場合、外装部２５の壁面側の面を、放熱フィン２６の一部が露出するように切り欠いた構成とすればよい。
【産業上の利用可能性】
【００４１】
以上説明したように、本発明は、意匠性を確保しつつ、放熱性を向上することができるという実用性の高い効果が得られることから、きわめて有用で産業上の利用可能性は高い。
【符号の説明】
【００４２】
１    天井面（設置面）
１０    照明器具
１１    設置部
１２    連結アーム（連結部）
２０    灯具本体
２２    光源
２５    外装部
２６    放熱フィン（放熱部）
【図１】
2020136206.tif 000003
【図２】
2020136206.tif 000004
【図３】
2020136206.tif 000005
【図４】
2020136206.tif 000006
【図５】
2020136206.tif 000007
【図６】
2020136206.tif 000008